(57)【要約】【課題】ロケータの適正携帯使用を促進する。【解決手段】ロケータの共通筐体１の外形又はその表面の一部を、仏像を模した外形又はレリーフ面とする。ボタン類はその仏像の突起部分に組み込む。ＬＥＤ等は喉輪、目、白毫、珠玉等に組み込む。ＧＰＳアンテナ１１は仏像の頭部に組み込む。仏像を正立させるとＧＰＳアンテナ１１が天を向くため、測位品質が確保・向上する。見た目が仏像であることから丁寧に扱ってもらえ、また携帯者に心の安らぎを与える。【選択図】　　　　図１
2004085256.tif 000002
【特許請求の範囲】
【請求項１】
測位衛星からの信号を受信して測位を実行する測位回路及び測位アンテナと、所定イベント発生時に測位結果に基づき無線通報を実行する無線回路及び通報用アンテナとを、共通筐体に組み込んだ携帯型のロケータにおいて、
上記共通筐体が、測位アンテナが略天空方向を向く姿勢である推奨姿勢を使用者に対して教示する筐体上部目印を、その表面に備えたことを特徴とするロケータ。
【請求項２】
請求項１記載のロケータにおいて、
上記共通筐体が、上記筐体上部目印として、仏像を模した外形又はレリーフ面を有しており、測位アンテナが、上記仏像が正立しているとき略天空方向を向くよう、この仏像の頭部に該当する位置に実装されたことを特徴とするロケータ。
【請求項３】
請求項２記載のロケータにおいて、
上記仏像の身体部品又は所持物に現れている略円形又は略球形の特徴部分に、上記ロケータの動作状態を示す発光部材が組み込まれたことを特徴とするロケータ。
【請求項４】
請求項２又は３記載のロケータにおいて、
上記仏像の身体部品又は所持物に現れている突起が、上記ロケータに対して所定の動作を指示するための部材であることを特徴とするロケータ。
【発明の詳細な説明】
【０００１】
【発明の属する技術分野】
本発明は、測位機能例えばＧＰＳ（Ｇｌｏｂａｌ　Ｐｏｓｉｔｉｏｎｉｎｇ　Ｓｙｓｔｅｍ）受信機としての機能と、通信機能例えばＰＤＣ−Ｐ（Ｐｅｒｓｏｎａｌ　Ｄｉｇｉｔａｌ　Ｃｅｌｌｕｌａｒ−Ｐａｃｋｅｔ）端末としての機能とを、共通筐体に組み込み、両機能の連携によりその現在位置等を外部に無線通報できるようにした携帯型の装置であるロケータに関する。
【０００２】
【従来の技術】
ロケータはマンロケーションシステム等において使用される端末である。マンロケーションは、警備員、外交員、徘徊高齢者、幼児・児童、旅行者等に携帯させたロケータによって、そのロケータ携帯者の現在位置等を検出し、そのロケータに実装されている自動／手動通報機能を利用して、その所在等をサービスセンター等に集約するシステムである。このシステムにて得られる情報、即ち各ロケータ携帯者の現在位置や移動等を示す情報は、例えば、ロケータ携帯者の上司・秘書、保護者・家族、監督者等から情報を要求されたときにその情報要求者に提供される。従って、マンロケーションシステムは、警備員所在把握等による業務効率改善や、徘徊・迷子による行方不明者の捜索等をはじめとして、営業及び生活の多面に亘るサービスに利用可能なシステムである。また、近年におけるマンロケーションシステムは、ＧＰＳの有効利用による測位精度向上、回路・実装技術の向上による小型軽量化・省電力化、ＰＤＣ−Ｐ等の公共的パケット通信網の利用によるインフラコスト・通信費用抑制等によって、特徴づけられている。なお、マンロケーションサービス及びロケータに関しては、下記各文献を併せて参照されたい。
【特許文献１】特開平１１−２７７３４号公報
【特許文献２】特開平１０−２１３６４４号公報
【特許文献３】特開平１０−１１５６７６号公報
【特許文献４】特開平９−２６９９６０号公報
【特許文献５】特開平５−１９９１６９号公報
【特許文献６】特開平５−１９９１６８号公報
【０００３】
【発明が解決しようとする課題】
マンロケーションシステムを普及する上で、ＧＰＳの仕組みを知らない人でもロケータを正しい状態で携帯・使用できるようにすることが、重要である。まず、マンロケーションシステムが急速に普及することによって、ＧＰＳ受信機の好適な使用形態を知らないロケータ携帯者が一時的・過渡的にであれ増えるであろうし、好適な形態で携帯・使用されなければ好適に測位が行われないであろう。
特に、”ロケータと称する訳のわからない機械を携帯させられるのは本当は嫌だ”等、素朴な違和感・反感を抱いている人々が何らかの必要によってロケータを携帯する立場となった場合、ロケータが好適に携帯・使用されない可能性が大きい。本発明の目的は、ＧＰＳ受信機等の使用法に関して「アンテナを天に向ける」等のごく基礎的な知識すら有していない人物でも適切に携帯・使用できるロケータや、機械そのもの又は機械による管理に対して違和感・反感を抱いている人でもさほど不快感を感じずに適切な状態で携帯・使用でき却って心の平穏が得られるロケータを、提供することにある。
【０００４】
【課題を解決するための手段】
このような目的を達成するために、本発明に係るロケータは、（１）測位衛星からの信号を受信して測位を実行する測位回路及び測位アンテナと、（２）所定イベント発生時に測位結果に基づき無線通報を実行する無線回路及び通報用アンテナとを、（３）共通筐体に組み込んだ携帯型のロケータにおいて、（４）上記共通筐体が、測位アンテナが略天空方向を向く姿勢である推奨姿勢を使用者に対して教示する筐体上部目印を、その表面に備えたことを特徴とする。
【０００５】
本発明の特徴に係る筐体上部目印は、推奨姿勢をロケータ携帯者に対して暗示的に教示する実施形態を包含する。例えば、共通筐体の外形を仏像を模した外形とし、或いは共通筐体の表面に仏像を模したレリーフ面を設ける。測位アンテナは、この仏像が正立しているとき略天空方向を向くよう、この仏像の頭部に該当する位置に実装しておく。仏像の正常な姿勢は正立である、という事柄は、仏教に触れたことがある者には常識的であるし、仏教に全く触れたことがない者も、人象偶像である仏像の自然な姿勢は正立姿勢であると認識するであろう。従って、仏教を信仰しているか否かによらず、大抵のロケータ携帯者は、仏像を正立させるという自然な所作を無意識的に行うであろうし、またこの所作は習慣化されやすい。結果として、大抵のロケータ携帯者は、仏像が正立している状態が保たれるようロケータを携帯・使用する。この教示効果は、ロケータ携帯者が測位アンテナの実装位置を知っているか否かによらず、またロケータ携帯者が測位アンテナなる構成部品の存在自体を知っているか否かによらず、生じるものである。
即ち、この例における仏像は、その仏像の頭部が略天空方向を向く姿勢を使用者たるロケータ携帯者に対して明示的に教示する物理的な目印であると同時に、測位アンテナが天空方向を向く姿勢である推奨姿勢を使用者に対して暗示的に教示する上掲の筐体上部目印でもある。
【０００６】
更に好ましくは、共通筐体の表面に現れている仏像の身体部品又はその所持物に現れている略円形又は略球形の特徴部分に、ロケータの動作状態を示す発光部材を組み込む。また好ましくは、この仏像の身体部品又は所持物に現れている突起を、ロケータに対して所定の動作を指示するための部材とする。
【０００７】
【発明の実施の形態】
以下、本発明の好適な実施形態に関し図面に基づき説明する。
【０００８】
図１に、本発明の第１実施形態に係るロケータの外観及び内部構造を示す。本実施形態に係るロケータは、仏像を模した外形を有する共通筐体１の内部に単数又は複数の回路ユニット２及び基板３を組み込んだ構成を有している。回路ユニット２は、後述のＧＰＳ受信部１２、ＰＤＣ送受信部１３、制御部１５、バッテリ１６、メモリカード１７等が組み込まれたユニットである。ＧＰＳ受信部１２は、制御部１５と連携しつつ、ＧＰＳアンテナ１１により測位衛星たるＧＰＳ衛星から測位信号を受信し、所定の測位手順を実行し、その結果を制御部１５に供給する。ＰＤＣ送受信部１３は、制御部１５による制御の下に、ＰＤＣアンテナ１４によりＰＤＣ基地局と無線接続し、位置通報を含め所定の処理を実行する。
バッテリ１６は、ロケータを構成する各種の部材に駆動電力を供給する部材であり、当該電力供給は制御部１５により制御される。メモリカード１７は、制御部１５から供給される情報を記憶する。
【０００９】
また、回路ユニット２内に組み込むのが適切でない部材は、回路ユニット２外に配置され、基板３上の導体或いは図示しないケーブルや配線によって回路ユニット２内の所定の回路又は部品に接続されている。例えば、ＧＰＳアンテナ１１及びＰＤＣアンテナ１４は、良好な電磁輻射環境に置くべき部材であるため、回路ユニット２の遮蔽筐体外におかれている。特に、ＧＰＳアンテナ１１は、後述の理由により、仏像の頭部に該当する略球形のスペースに収納されている。更に、図１中、ロケータに対し所定の動作を指令するための部材であるイベントボタン１８ａ及び１８ｂ並びにロケータの電源をオンオフするために操作される電源ボタン１８ｃは、ロケータ携帯者により操作される部材であることから、共通筐体１の外表面に設けられている。イベントボタン１８ａ及び１８ｂは合掌している仏像の左右の手に、電源ボタン１８ｃは仏像の足に、それぞれ組み込まれており、ロケータ携帯者が該当部分に接触（又は加圧。以下同様）すると該当ボタンが操作されたことを示す信号が制御部１５に供給される。また、発光部材たる電源ＬＥＤ１９ａ及び通信ＬＥＤ１９ｂやスピーカ２０は、ロケータ携帯者に対してロケータの動作状態等を知らせるための部材であることから、やはり共通筐体１の外表面に設けられ又はその放音口が開口している。電源ＬＥＤ１９ａ及び通信ＬＥＤ１９ｂは仏像の喉に、スピーカ２０は仏像の首の中に、それぞれ組み込まれており、制御部１５から供給される信号によって点灯・鳴音する。
【００１０】
なお、後述の操作部１８はボタン１８ａ〜１８ｃを、表示部１９はＬＥＤ１９ａ及び１９ｂを、それぞれまとめて表したものである。図示していないが、外部ＧＰＳアンテナを接続するためのコネクタ等も設けることができる。
【００１１】
図２に、本実施形態に係るロケータの機能構成を示す。電源がオフしている状態でロケータ携帯者が電源ボタン１８ｃ即ち仏像の左足を操作すると、バッテリ１６からロケータ内の各部材への駆動電力供給が開始され、制御部１５は仏像の喉の電源ＬＥＤ１９ａを点灯させる。点灯時間は例えば数秒程度とし、その後はバッテリ１６の放電抑制のため消灯させる。このようにして電源がオンした後、測位或いは通報を実行していない期間においては、制御部１５は、ＧＰＳ受信部１２やＰＤＣ送受信部１３を待機状態とする。即ち、当面動作させる必要がない部分への電力供給を断ち或いはその部分における電力消費を強制低減させ、それによってそれらを通常電力での動作から省電力での動作に移行させて、バッテリ１６の放電を抑制する。電源がオンしている間は、次に述べる測位、通報等の動作に加え、ＬＥＤ１９ａ又は１９ｂを用いたバッテリ１６の残量表示、充電状態表示や、スピーカ２０を用いたバッテリ１６の残量警告等の動作が実行される。
電源がオンしている状態でロケータ携帯者が電源ボタン１８ｃを操作すると、制御部１５は、電源ＬＥＤ１９ａを所定パターンで所定時間に亘り点滅させた上で、バッテリ１６からロケータ内の各部材への駆動電力供給を停止させる（但し、電源ボタン１８ｃによる電源オン操作を制御部１５が感知する構成を採っている場合は電源オフ時もそのための回路にはバッテリ１６から電源を供給する）。
【００１２】
電源がオンしている間、ＧＰＳ受信部１２は、測位動作を所定タイミングで（例えば所定時間毎に）実行し、その結果得られた現在位置等の情報を制御部１５に供給する。制御部１５は、ＧＰＳ受信部１２から得られる現在位置等の情報又はそれを加工することによって作成した情報を、随時、メモリスティック（商品名）等のメモリカード１７に書き込む。メモリカード１７内の記憶空間は、例えば、位置情報記録領域、ウエイポイント記録領域、音声データ記録領域、というように複数の領域に分割されており、ＧＰＳ受信部１２から得られた現在位置等の情報は、位置情報記録領域に書き込まれる。電源がオンしている間に所定のイベントが発生すると、制御部５は所定ルールに従い通信ＬＥＤ１９ｂを点灯させ、ＰＤＣ送受信部１３は省電力動作から通常電力動作に復帰してサービスセンター等への通報を実行する。即ち、ＰＤＣ送受信部１３は、基地局との無線接続を確立する一方で、メモリカード１７上の位置情報記録領域内の情報を制御部１５を介して取得し、送信パケット中にその情報をセットし、基地局との無線接続を介してそのパケットをサービスセンター等宛てに送信する。なお、通報時における通信ＬＥＤ１９ｂの点灯ルールは、例えば、通報開始に伴い緑点滅を開始させ、通報に成功した場合は通報終了直後の数秒間に亘り橙点灯させ、通報に失敗した場合は通報終了直後の数秒間に亘り赤点灯させる、というルールとする。
【００１３】
位置情報記録領域のサイズは、測位１回分のサイズとすることも、複数回分のサイズとすることも可能である。測位１回分のサイズとした場合は、位置情報記録領域のサイズを抑えることができる反面、最新の測位結果が得られるたびに位置情報記憶領域が上書きされるため過去の測位結果をロケータ側でローカル使用することはできない、という制限が課せられる。従って、可能な限り、測位複数回分の測位結果を記録できるサイズとするのが望ましい。複数回分の測位結果をメモリカード１７の位置情報記録領域に蓄えておくようにすれば、例えば、サービスセンターによるポーリング実行頻度及びロケータからの通報の実行頻度を減らしてトラフィックを緩和することや、ロケータから送信するパケットの総数を減らして通信料金を抑えることや、ロケータ携帯者が自宅のＰＣ等でメモリカード１７上の情報に基づき自分の行動履歴を管理すること等が、可能になる。それだけでなく、例えば、ロケータがＰＤＣ基地局の圏外にいた期間におけるロケータ携帯者の挙動を、ロケータが圏内に再入した直後の最先のポーリング又は自己位置指令（後述）で通報する機能等、様々な付加機能を設けることも可能になる。
【００１４】
また、メモリカード１７内のウエイポイント記録領域には、所定個数を上限としてウエイポイント情報が書き込まれる。ウエイポイントとはロケータ携帯者が通過又は到着するであろう場所であり、ウエイポイント情報とはウエイポイントの位置座標を含む情報である。ウエイポイント情報は、ロケータの使用を開始する際に予め、或いはＰＤＣ網経由で随時、メモリカード１７に書き込まれる。制御部１５は、例えば、ＧＰＳ受信部１２から得られた現在位置と、いずれかのウエイポイント情報中の位置座標とが、実質的に一致していると見なせる程度に近い位置を示している場合（例えば両者の差が所定距離以内である場合）に、ＬＥＤ１９ａ又は１９ｂ或いはスピーカ２０を用いて、ロケータ携帯者にその旨を通知する。通知の形態は、ＬＥＤの点滅やスピーカ２０の単調鳴音等でもよいが、好ましくは、スピーカ２０によるメロディ出力や音声メッセージとする。上掲の音声データ記録領域には、そのためのメロディ或いは音声が予め情報として記録されており、制御部１５はこの情報を読み出してスピーカ２０による通知を実行する。なお、スピーカ２０は、サービスセンターからロケータ携帯者への指令を音声出力するためにも利用できる。当該音声出力のための音声メッセージも、音声データ記録領域に予め書き込んでおき、特定の指令を受信したら特定の音声メッセージを読み出して出力するといった形で利用すればよい。
【００１５】
更に、上掲の「所定のイベント」としては、第１に、サービスセンター等からの要求がある。サービスセンターは、ロケータ携帯者の現在位置や過去所定期間に亘る挙動等を検出すべく、随時、各ロケータ宛てに通報を指令するための呼を発信している。ロケータに対するサービスセンターの通報指令発呼は、例えばポーリング、即ち各ロケータに対し順繰りかつ定時的に通報指令を送信する手順とするのが望ましい。ＰＤＣ送受信部１３は、省電力動作中も基地局からの無線呼を待ち受けており、サービスセンター等から発信された自局宛の呼を受信したときには、省電力動作から通常電力動作に復帰し、通報を実行する。「所定のイベント」としては、第２に、ロケータ携帯者による特定のイベントボタン（１８ａ又は１８ｂ）の操作がある。ロケータ携帯者が当該特定のイベントボタン、即ち仏像の左右いずれかの手を操作すると、これに応じ、制御部１５はＰＤＣ送受信部１３を省電力動作から通常電力動作に復帰させ、上掲の通報を実行する（自己位置通知）。なお、サービスセンターからの指令に応じて通報を行っている最中に自己位置通知に係るボタン操作をロケータ携帯者が行った場合は、制御部１５は、そのボタン操作を無視し、実行中の通報動作を継続させる。
【００１６】
このように、本実施形態に係るロケータは、ＧＰＳ受信機としての機能とＰＤＣ−Ｐ端末としての機能とを連携させ、かつ、携帯に便利なようにそれらの機能を単一の共通筐体１内に実装した構成を有している。本実施形態の特徴の一つは、使用者たるロケータ携帯者に対し、測位アンテナたるＧＰＳアンテナ１１が天空方向を向く姿勢である推奨姿勢を教示するため、ロケータ外観を概ね画定する共通筐体１の外表面に、仏像を模した外形という形態で筐体上部目印を設けたことにある。本発明の特徴の他の一つは、ＧＰＳアンテナ１１が仏像の頭部内に該当するスペースに収納されており、仏像が正立したときに略天空方向からの測位信号を好適に受信できるよう実装されていることである。
【００１７】
ここでは、ロケータ携帯者を、
（１）ＧＰＳ受信機では一般にアンテナを天に向けた方が良好に測位を行えることを知っており、本実施形態におけるＧＰＳアンテナ１１が仏像の頭部に収納実装されていることも知っている、という人物と、
（２）それ以外の人物、
とに分類して考える。（１）の人物が本実施形態に係るロケータを携帯する場合は、その人物にとっては、仏像の頭部という外観上の特徴は、ＧＰＳアンテナ１１の実装位置を示す非常にわかりやすい目印となる。即ち、この種の人物にとっては、仏像という外観はアンテナ位置に関する明示的な目印を提供している。従って、この種のロケータ携帯者は、好適な測位精度が得られやすい適切な向きで、本実施形態に係るロケータを携帯・使用できるであろう。
【００１８】
（２）の人物が本実施形態に係るロケータを携帯する場合は、仏像という外観がアンテナ位置に関する明示的な目印となることはない。しかしながら、この場合でも、視覚又は触覚で容易に認識できる仏像という外観は、ロケータ携帯者に対して上掲の推奨姿勢を暗示的に教示する目印となる。まず、仏教社会で生活している者は、仏像の本来の姿勢は正立であると感得しているであろう。また、仏像はそもそも人間の外形をとって具象する仏の像或いは功徳を積んだ高僧の像であり、従ってその基本形状が人間的であるから、仏教に全く触れたことがない者も、正立姿勢を自然な姿勢として認識するであろう。従って、仏教を信仰しているか否か、仏教に触れたことがあるか否か等によらず、本実施形態に係るロケータを携帯する者は、大抵、仏像を正立させるという自然な所作を無意識的に行うであろう。即ち、本実施形態に係るロケータを携帯する者は、仏像が正立している状態が保たれるようロケータを携帯・使用するであろう。更に、この所作は明らかに習慣化されやすいものであるから、継続的な教示効果もあるといえる。
【００１９】
本実施形態における仏像の頭部は、このように、意識的に利用される目印という役割以外に、無意識的に目印として使用されるという役割をも、担っている。
即ち、ロケータ携帯者が、ＧＰＳアンテナ１１が仏像の頭部に収納実装されていることを知らない場合であっても、また一般にＧＰＳアンテナ１１を天に向けた方が良好に測位を行えることを知らない場合であっても、ロケータの外形が仏像であることに心理的に誘導されて、仏像が正立する状態でロケータを携帯・使用することとなろう。このように、本実施形態における仏像は、推奨姿勢の教示という観点からすれば、一部の者に対しては明示的或いは意識的な目印となっており、また残りの多くの者に対しては暗示的或いは無意識的で、心理的或いは感性的に拝跪或いは重用を促す目印となっている。
【００２０】
いずれにしろ、ＧＰＳアンテナ１１が好適に天を向くようにロケータが携帯・使用されることから、本実施形態によれば、測位品質が向上し、マンロケーションサービスの品質・信頼度が向上する。また、仏像の外形をしているため、ロケータ携帯者によるロケータの取り扱いが優しく丁寧になり、ロケータの破損や美観損傷が生じにくくなり、ロケータの長寿命化や修理交換の頻度・費用低減も達成される。更に、単に外形だけだが仏像であるため、ロケータ携帯者、特に信仰心に篤い人物や偶像崇拝的傾向のある人物は、心の安らぎを得るであろう。
【００２１】
図３に、本発明の第２実施形態に係るロケータの外観を示す。本実施形態における共通筐体１Ａは方形箱状の外形であるが、その表面に仏像を模したレリーフが形成されている。ＧＰＳアンテナ１１は第１実施形態と同様の要領で仏像の頭部内に実装されている。従って、本実施形態でも第１実施形態と同様の効果を得ることができる。また、共通筐体１Ａが方形箱状であることから、例えば仏像の耳にロケータ携帯者の衣服の端が引っかかるといった状況は、第１実施形態に比べると生じにくい。第１実施形態に比べ外形が直方形に近いため、筐体製造コストが低くなる。
【００２２】
図４に、本発明の第３実施形態に係るロケータの外観を示す。本実施形態における共通筐体１Ｂも第２実施形態と同様に方形箱状の外形であり、その表面には仏像を模したレリーフが形成されており、ＧＰＳアンテナ１１は第２実施形態と同様に設けられている。従って、本実施形態でも第２実施形態と同様の効果を得ることができる。また、第２実施形態における仏像が合掌していたのに対し、本実施形態における仏像は一方の手に錫杖を持ち他方の手に珠玉を持っている。そのため、錫杖又はそれを持っている手をイベントボタン１８ａとして、また珠玉或いはそれを支えている手をイベントボタン１８ｂとして、それぞれ設計することも可能である。この他、仏像の目、白毫、珠玉等の略円形或いは略球形の部分を、ＬＥＤ等として用いてもよい。仏像の耳、足、裾等の突起を、ボタン等として用いてもよい。
【００２３】
本発明におけるロケータの共通筐体外形又はレリーフ面は、上掲の如く、仏像を模したものである。仏像の模し方としては、寺院等に安置されている仏像に近いリアルなデザインとする第１の考え方と、よりシンプルで戯画化されたデザインにする第２の考え方とがある。これらの考え方には一長一短があることから、実際に本発明のロケータを設計するに際しては、これらの考え方を折衷するのがよかろう。即ち、第１の考え方に従い、素手ではなく錫杖や珠玉といった物を携えた仏像とし、或いは多様かつ繊細な表情及び態勢（結印等）にした方が、設計上、ボタン類やＬＥＤの実装には便利であるし、寺院等に安置されている仏像に対するものと同様の崇拝を集めやすい。逆に、第２の考え方に従い、シンプルな形状に戯画化された仏像とすることによって、突起等が少なく取り扱いが容易なロケータが得られ、また戯画化の工夫次第では愛着を生みやすいものとなろう。
このように、仏像の細部によって、本発明に係るロケータのデザインと機能には様々なバリエーションが生まれる。これは、仏像という外観・レリーフを有することそれ自体と相俟って、ロケータに対する素朴な心理的反感を軽減し（むしろ尊崇或いは愛着へと反転し）、マンロケーションサービスの普及及び積極的利用、ロケータの広範な普及、更には精神的な幸福の拡大に、つながるものであろう。
【００２４】
更に、これまでの説明では、仏像の種類については特に言及していなかったが、マンロケーションサービス或いはそのロケータの普及を促進し、また本発明の効果を高めるためには、多くの人間に慕われている仏像を選ぶのが望ましいといえよう。例えば、釈迦如来像、阿弥陀如来像、薬師如来像等は、多数の寺院で本尊とされている周知・著名な仏像であるため、それらを模した外形又はレリーフ面を有するロケータは、高い確率で、正立した状態で携帯され丁寧に扱われるであろう。また、民衆的地域信仰を担っている観音菩薩像、地蔵菩薩像、弥勒菩薩像、力強い印象が強い不動明王像、愛染明王像、孔雀明王像、金剛力士像、羅漢像、十王像、エスニックな印象のある梵天像、帝釈天像、吉祥天像等、本発明の実施に際して好適に模することができる仏像は多い。ロケータ携帯者の性状・職種等に応じて模する仏像を選択するのもよかろう。
【図面の簡単な説明】
【図１】本発明の第１実施形態に係るロケータの構成を示す図であり、特に（Ａ）は正面図、（Ｂ）は正面透視図、（Ｃ）は側面透視図である。
【図２】本実施形態に係るロケータの機能構成を示すブロック図である。
【図３】本発明の第２実施形態に係るロケータの構成を示す図であり、特に（Ａ）は正面図、（Ｂ）は側面図である。
【図４】本発明の第３実施形態に係るロケータの構成を示す図であり、特に（Ａ）は正面図、（Ｂ）は側面図である。
【符号の説明】
１，１Ａ，１Ｂ　共通筐体、２　回路ユニット、１１　ＧＰＳアンテナ、１２ＧＰＳ受信部、１３　ＰＤＣ送受信部、１４　ＰＤＣアンテナ、１５　制御部、１８　操作部、１８ａ〜１８ｃ　ボタン、１９　表示部、１９ａ，１９ｂ　ＬＥＤ、２０　スピーカ。
【図１】
2004085256.tif 000003
【図２】
2004085256.tif 000004
【図３】
2004085256.tif 000005
【図４】
2004085256.tif 000006